(57)【要約】  本開示のある実施形態は、バースト割り振り情報をＭＳに送信することにより、ＷｉＭＡＸシグナリングオーバーヘッドの減少を可能にし、ＭＳは、ＤＬ−ＭＡＰメッセージおよびＵＬ−ＭＡＰメッセージに対して可能であるものより効果的な変調コーディングスキーム（ＭＣＳ）を使用して送信されるメッセージを使用する。例えば、バースト割り振り情報は、結果として、旧来のＤＬ−ＭＡＰメッセージおよびＵＬ−ＭＡＰメッセージに対して使用されるＭＣＳより高いデータレートを有する選択可能なＭＣＳでエンコードされる、ＳＵＢ−ＤＬ−ＵＬ−ＭＡＰメッセージまたはＨＡＲＱ−ＭＡＰメッセージ中で送信される。ある実施形態では、ＭＳは、ＣＩＮＲに基づいたグループに区分されてもよく、それぞれのグループに対するバースト割り振り情報は、そのグループ中のＭＳに対するＣＩＮＲに基づいた、そのグループに対して適したＭＣＳを使用して送信されてもよい。【選択図】    図5
2011512733.tif 000002
【特許請求の範囲】
【請求項１】
ワイヤレス通信システム中で、Ｎ個の移動局に対するバースト割り振り情報を送信する方法において、
報告された信号品質値に基づいて、前記移動局を複数のグループに区分することと、
ＭＡＰメッセージをそれぞれの移動局グループに関係付けることと、
それぞれの移動局グループに対する異なる変調コーディングスキームを選択することと、
それぞれの移動局グループに対するバースト割り振り情報を、前記選択された変調コーディングスキームを使用して送信されるその関係するＭＡＰメッセージ中で送信することとを含む方法。
【請求項２】
ＭＡＰメッセージをそれぞれの移動局グループに関係付けることは、ＳＵＢ−ＤＬ−ＵＬ−ＭＡＰメッセージをそれぞれのグループに関係付けることを含む請求項１記載の方法。
【請求項３】
ＭＡＰメッセージをそれぞれの移動局グループに関係付けることは、ＨＡＲＱ−ＭＡＰメッセージをそれぞれのグループに関係付けることを含む請求項１記載の方法。
【請求項４】
ＭＡＰメッセージをそれぞれの移動局グループに関係付けることは、第１のタイプのＭＡＰメッセージをそれぞれの移動局グループに関係付けることを含み、
前記移動局を複数のグループに区分することは、ＯＦＤＭＡフレーム中で利用可能な前記第１のタイプのＭＡＰメッセージよりも少ない数のグループに前記移動局を区分することを含む請求項１記載の方法。
【請求項５】
前記報告された信号品質値はＣＩＮＲ値を含み、
前記移動局を複数のＭＳグループに区分することは、前記移動局をそれらのＣＩＮＲ値の順序でランク付けることを含む請求項１記載の方法。
【請求項６】
前記移動局を複数の移動局グループに区分することは、前記Ｎ個の移動局を、それらのＣＩＮＲ値に基づいて、前記移動局グループに均一に分配することを含み、
前記それぞれのグループ中の移動局の数は、Ｎと前記移動局グループの数との関数である請求項５記載の方法。
【請求項７】
前記移動局を複数の移動局グループに区分することは、
１つ以上のＣＩＮＲしきい値に基づいて、グループを規定することと、
前記１つ以上のＣＩＮＲしきい値に関連する、移動局のＣＩＮＲ値に基づいて、前記グループのうちの特定の１つのものの中に移動局をおくこととを含む請求項５記載の方法。
【請求項８】
前記移動局を複数の移動局グループに区分することは、
それぞれのグループに対して、サイズの複数の組み合わせを選択することと、
評価されているサイズの組み合わせに基づいて、それぞれの移動局グループに対するバースト割り振り情報を送信するために使用される総リソースを示すリソースメトリックを計算することにより、サイズのそれぞれの組み合わせを評価することと、
前記評価に基づいて、サイズの組み合わせを選択することとを含む請求項５記載の方法。
【請求項９】
前記評価に基づいてサイズの組み合わせを選択することは、前記リソースメトリックを最小化するサイズの組み合わせを選択することを含む請求項８記載の方法。
【請求項１０】
前記移動局が、米国電気電子学会（ＩＥＥＥ）８０２．１６ファミリーの標準規格のうちの１つ以上の標準規格にしたがったＯＦＤＭＡ通信をサポートし、
それぞれの移動局グループに対するバースト割り振り情報を送信することは、ＩＥＥＥ８０２．１６ファミリーの標準規格のうちの１つ以上の標準規格にしたがって送信されるＭＡＰメッセージ中で、バースト割り振りを送信することを含む請求項１記載の方法。
【請求項１１】
ワイヤレス通信システム中で、Ｎ個の移動局に対するバースト割り振り情報を送信するワイヤレス通信デバイスにおいて、
報告された信号品質値に基づいて、前記移動局を複数のグループに区分するロジックと、
ＭＡＰメッセージをそれぞれの移動局グループに関係付けるロジックと、
それぞれの移動局グループに対する異なる変調コーディングスキームを選択するロジックと、
それぞれの移動局グループに対するバースト割り振り情報を、前記選択された変調コーディングスキームを使用して送信されるその関係するＭＡＰメッセージ中で送信するロジックとを具備するワイヤレス通信デバイス。
【請求項１２】
前記ＭＡＰメッセージをそれぞれの移動局グループに関係付けるロジックは、ＳＵＢ−ＤＬ−ＵＬ−ＭＡＰメッセージをそれぞれのグループに関係付けるように構成されている請求項１１記載のデバイス。
【請求項１３】
前記ＭＡＰメッセージをそれぞれの移動局グループに関係付けるロジックは、ＨＡＲＱ−ＭＡＰメッセージをそれぞれのグループに関係付けるように構成されている請求項１１記載のデバイス。
【請求項１４】
前記ＭＡＰメッセージをそれぞれの移動局グループに関係付けるロジックは、第１のタイプのＭＡＰメッセージをそれぞれの移動局グループに関係付けるように構成され、
前記移動局を複数のグループに区分するロジックは、ＯＦＤＭＡフレーム中で利用可能な前記第１のタイプのＭＡＰメッセージよりも少ない数のグループに前記移動局を区分するように構成されている請求項１１記載のデバイス。
【請求項１５】
前記報告された信号品質値はＣＩＮＲ値を含み、
前記移動局を複数のＭＳグループに区分するロジックは、前記移動局をそれらのＣＩＮＲ値の順序でランク付けるように構成されている請求項１１記載のデバイス。
【請求項１６】
前記移動局を複数の移動局グループに区分するロジックは、前記Ｎ個の移動局を、それらのＣＩＮＲ値に基づいて、前記移動局グループに均一に分配するように構成され、
前記それぞれのグループ中の移動局の数は、Ｎと前記移動局グループの数との関数である請求項１５記載のデバイス。
【請求項１７】
前記移動局を複数の移動局グループに区分するロジックは、
１つ以上のＣＩＮＲしきい値に基づいて、グループを規定し、
前記１つ以上のＣＩＮＲしきい値に関連する、移動局のＣＩＮＲ値に基づいて、前記グループのうちの特定の１つのものの中に移動局をおくように構成されている請求項１５記載のデバイス。
【請求項１８】
前記移動局を複数の移動局グループに区分するロジックは、
それぞれのグループに対して、サイズの複数の組み合わせを選択し、
評価されているサイズの組み合わせに基づいて、それぞれの移動局グループに対するバースト割り振り情報を送信するために使用される総リソースを示すリソースメトリックを計算することにより、サイズのそれぞれの組み合わせを評価し、
前記評価に基づいて、サイズの組み合わせを選択するように構成されている請求項１５記載のデバイス。
【請求項１９】
前記移動局を複数の移動局グループに区分するロジックは、前記リソースメトリックを最小化するサイズの組み合わせを選択するように構成されている請求項１８記載のデバイス。
【請求項２０】
前記移動局が、米国電気電子学会（ＩＥＥＥ）８０２．１６ファミリーの標準規格のうちの１つ以上の標準規格にしたがったＯＦＤＭＡ通信をサポートし、
前記それぞれの移動局グループに対するバースト割り振り情報を送信するロジックは、ＩＥＥＥ８０２．１６ファミリーの標準規格のうちの１つ以上の標準規格にしたがって送信されるＭＡＰメッセージ中で、バースト割り振りを送信するように構成されている請求項１１記載のデバイス。
【請求項２１】
ワイヤレス通信システム中で、Ｎ個の移動局に対するバースト割り振り情報を送信する装置において、
報告された信号品質値に基づいて、前記移動局を複数のグループに区分する手段と、
ＭＡＰメッセージをそれぞれの移動局グループに関係付ける手段と、
それぞれの移動局グループに対する異なる変調コーディングスキームを選択する手段と、
それぞれの移動局グループに対するバースト割り振り情報を、前記選択された変調コーディングスキームを使用して送信されるその関係するＭＡＰメッセージ中で送信する手段とを具備する装置。
【請求項２２】
前記ＭＡＰメッセージをそれぞれの移動局グループに関係付ける手段は、ＳＵＢ−ＤＬ−ＵＬ−ＭＡＰメッセージをそれぞれのグループに関係付けるように構成されている請求項２１記載の装置。
【請求項２３】
前記ＭＡＰメッセージをそれぞれの移動局グループに関係付ける手段は、ＨＡＲＱ−ＭＡＰメッセージをそれぞれのグループに関係付けるように構成されている請求項２１記載の装置。
【請求項２４】
前記ＭＡＰメッセージをそれぞれの移動局グループに関係付ける手段は、第１のタイプのＭＡＰメッセージをそれぞれの移動局グループに関係付けるように構成され、
前記移動局を複数のグループに区分する手段は、ＯＦＤＭＡフレーム中で利用可能な前記第１のタイプのＭＡＰメッセージよりも少ない数のグループに前記移動局を区分するように構成されている請求項２１記載の装置。
【請求項２５】
前記報告された信号品質値はＣＩＮＲ値を含み、
前記移動局を複数のＭＳグループに区分する手段は、前記移動局をそれらのＣＩＮＲ値の順序でランク付けるように構成されている請求項２１記載の装置。
【請求項２６】
前記移動局を複数の移動局グループに区分する手段は、前記Ｎ個の移動局を、それらのＣＩＮＲ値に基づいて、前記移動局グループに均一に分配するように構成され、
前記それぞれのグループ中の移動局の数は、Ｎと前記移動局グループの数との関数である請求項２５記載の装置。
【請求項２７】
前記移動局を複数の移動局グループに区分する手段は、
１つ以上のＣＩＮＲしきい値に基づいて、グループを規定し、
前記１つ以上のＣＩＮＲしきい値に関連する、移動局のＣＩＮＲ値に基づいて、前記グループのうちの特定の１つのものの中に移動局をおくように構成されている請求項２５記載の装置。
【請求項２８】
前記移動局を複数の移動局グループに区分する手段は、
それぞれのグループに対して、サイズの複数の組み合わせを選択し、
評価されているサイズの組み合わせに基づいて、それぞれの移動局グループに対するバースト割り振り情報を送信するために使用される総リソースを示すリソースメトリックを計算することにより、サイズのそれぞれの組み合わせを評価し、
前記評価に基づいて、サイズの組み合わせを選択するように構成されている請求項２５記載の装置。
【請求項２９】
前記移動局を複数の移動局グループに区分する手段は、前記リソースメトリックを最小化するサイズの組み合わせを選択するように構成されている請求項２８記載の装置。
【請求項３０】
前記移動局が、米国電気電子学会（ＩＥＥＥ）８０２．１６ファミリーの標準規格のうちの１つ以上の標準規格にしたがったＯＦＤＭＡ通信をサポートし、
前記それぞれの移動局グループに対するバースト割り振り情報を送信する手段は、ＩＥＥＥ８０２．１６ファミリーの標準規格のうちの１つ以上の標準規格にしたがって送信されるＭＡＰメッセージ中で、バースト割り振りを送信するように構成されている請求項２１記載の装置。
【請求項３１】
ワイヤレス通信システム中で、Ｎ個の移動局に対するバースト割り振り情報を送信するためのプログラムを具備するコンピュータ読取可能媒体において、
プログラムは、
プロセッサにより実行されるとき、
報告された信号品質値に基づいて、前記移動局を複数のグループに区分することと、
ＭＡＰメッセージをそれぞれの移動局グループに関係付けることと、
それぞれの移動局グループに対する異なる変調コーディングスキームを選択することと、
それぞれの移動局グループに対するバースト割り振り情報を、前記選択された変調コーディングスキームを使用して送信されるその関係するＭＡＰメッセージ中で送信することとを含む動作を実行するコンピュータ読取可能媒体。
【請求項３２】
ＭＡＰメッセージをそれぞれの移動局グループに関係付けることは、ＳＵＢ−ＤＬ−ＵＬ−ＭＡＰメッセージをそれぞれのグループに関係付けることを含む請求項３１記載のコンピュータ読取可能媒体。
【請求項３３】
ＭＡＰメッセージをそれぞれの移動局グループに関係付けることは、ＨＡＲＱ−ＭＡＰメッセージをそれぞれのグループに関係付けることを含む請求項３１記載のコンピュータ読取可能媒体。
【請求項３４】
ＭＡＰメッセージをそれぞれの移動局グループに関係付けることは、第１のタイプのＭＡＰメッセージをそれぞれの移動局グループに関係付けることを含み、
前記移動局を複数のグループに区分することは、ＯＦＤＭＡフレーム中で利用可能な前記第１のタイプのＭＡＰメッセージよりも少ない数のグループに前記移動局を区分することを含む請求項３１記載のコンピュータ読取可能媒体。
【請求項３５】
前記報告された信号品質値はＣＩＮＲ値を含み、
前記移動局を複数のＭＳグループに区分することは、前記移動局をそれらのＣＩＮＲ値の順序でランク付けることを含む請求項３１記載のコンピュータ読取可能媒体。
【請求項３６】
前記移動局を複数の移動局グループに区分することは、前記Ｎ個の移動局を、それらのＣＩＮＲ値に基づいて、前記移動局グループに均一に分配することを含み、
前記それぞれのグループ中の移動局の数は、Ｎと前記移動局グループの数との関数である請求項３５記載のコンピュータ読取可能媒体。
【請求項３７】
前記移動局を複数の移動局グループに区分することは、
１つ以上のＣＩＮＲしきい値に基づいて、グループを規定することと、
前記１つ以上のＣＩＮＲしきい値に関連する、移動局のＣＩＮＲ値に基づいて、前記グループのうちの特定の１つのものの中に移動局をおくこととを含む請求項３５記載のコンピュータ読取可能媒体。
【請求項３８】
前記移動局を複数の移動局グループに区分することは、
それぞれのグループに対して、サイズの複数の組み合わせを選択することと、
評価されているサイズの組み合わせに基づいて、それぞれの移動局グループに対するバースト割り振り情報を送信するために使用される総リソースを示すリソースメトリックを計算することにより、サイズのそれぞれの組み合わせを評価することと、
前記評価に基づいて、サイズの組み合わせを選択することとを含む請求項３５記載のコンピュータ読取可能媒体。
【請求項３９】
前記評価に基づいてサイズの組み合わせを選択することは、前記リソースメトリックを最小化するサイズの組み合わせを選択することを含む請求項３８記載のコンピュータ読取可能媒体。
【請求項４０】
前記移動局が、米国電気電子学会（ＩＥＥＥ）８０２．１６ファミリーの標準規格のうちの１つ以上の標準規格にしたがったＯＦＤＭＡ通信をサポートし、
それぞれの移動局グループに対するバースト割り振り情報を送信することは、ＩＥＥＥ８０２．１６ファミリーの標準規格のうちの１つ以上の標準規格にしたがって送信されるＭＡＰメッセージ中で、バースト割り振りを送信することを含む請求項３１記載のコンピュータ読取可能媒体。
【発明の詳細な説明】
【関連出願に対する相互参照】
【０００１】
本特許出願は、“モバイルＷｉＭＡＸにおける、圧縮ＭＡＰまたはＨＡＲＱ  ＭＡＰを使用してのシグナリングオーバーヘッドの削減方法”と題する２００８年２月１日に出願され、すべての目的のために参照によりここに完全に組み込まれている米国特許仮出願第６１／０２５，６７６号に対して優先権を主張する。
【技術分野】
【０００２】
本開示のある実施形態は、一般的にワイヤレス通信に関連し、さらに特に、シグナリングオーバーヘッドを削減する技術に関連している。
【背景】
【０００３】
ＩＥＥＥ８０２．１６ファミリーの（ＷｉＭＡＸ）標準規格の１つの特有の欠点は、ＤＬ−ＭＡＰメッセージまたはＵＬ−ＭＡＰメッセージを送信することのようなシグナリングに対する帯域幅オーバーヘッドの割合が大きいことである。少なくとも一部分において、シグナリングオーバーヘッドが大きい。その理由は、少なくとも部分的には、ＤＬ−ＭＡＰメッセージおよびＵＬ−ＭＡＰメッセージを、非常に保守的な変調コーディングスキーム（ＭＣＳ）でエンコードして、セル境界において、基地局（ＢＳ）から最も離れて位置している移動局（ＭＳ）によってさえも、確実にこれらのメッセージがうまくデコードされるようにするからである。
【０００４】
ＤＬ−ＭＡＰメッセージは、システムコンフィギュレーションパラメータおよびバースト割り振り情報を示す。非常に多数のユーザが大きいサイズのＤＬ−ＭＡＰメッセージまたはＵＬ−ＭＡＰメッセージを必要とするボイスオーバーＩＰ（ＶＯＩＰ）システムでは、帯域幅の非効率性が、特に著しい。このシグナリングオーバーヘッドは、結果として、ＶＯＩＰエアリンク容量を厳しく制限することになる。
【概要】
【０００５】
ある実施形態において、ワイヤレス通信システム中で、Ｎ個の移動局に対するバースト割り振り情報を送信する方法および装置が提供されている。
【０００６】
ある実施形態は、ワイヤレス通信システム中で、Ｎ個の移動局に対するバースト割り振り情報を送信する方法を提供する。方法は、一般的に、報告された信号品質値に基づいて、移動局を複数のグループに区分することと、ＭＡＰメッセージをそれぞれの移動局グループに関係付けることと、それぞれの移動局グループに対する異なる変調コーディングスキームを選択することと、それぞれの移動局グループに対するバースト割り振り情報を、選択された変調コーディングスキームを使用して送信されるその関係するＭＡＰメッセージ中で送信することとを含む。
【０００７】
ある実施形態は、ワイヤレス通信システム中で、Ｎ個の移動局に対するバースト割り振り情報を送信するワイヤレス通信デバイスを提供する。デバイスは、一般的に、報告された信号品質値に基づいて、移動局を複数のグループに区分するロジックと、ＭＡＰメッセージをそれぞれの移動局グループに関係付けるロジックと、それぞれの移動局グループに対する異なる変調コーディングスキームを選択するロジックと、それぞれの移動局グループに対するバースト割り振り情報を、選択された変調コーディングスキームを使用して送信されるその関係するＭＡＰメッセージ中で送信するロジックとを具備する。
【０００８】
ある実施形態は、ワイヤレス通信システム中で、Ｎ個の移動局に対するバースト割り振り情報を送信する装置を提供する。装置は、一般的に、報告された信号品質値に基づいて、移動局を複数のグループに区分する手段と、ＭＡＰメッセージをそれぞれの移動局グループに関係付ける手段と、それぞれの移動局グループに対する異なる変調コーディングスキームを選択する手段と、それぞれの移動局グループに対するバースト割り振り情報を、選択された変調コーディングスキームを使用して送信されるその関係するＭＡＰメッセージ中で送信する手段とを具備する。
【０００９】
ある実施形態は、ワイヤレス通信システム中で、Ｎ個の移動局に対するバースト割り振り情報を送信するためのプログラムを具備するコンピュータ読取可能媒体を提供する。プロセッサにより実行されるとき、プログラムは、報告された信号品質値に基づいて、移動局を複数のグループに区分することと、ＭＡＰメッセージをそれぞれの移動局グループに関係付けることと、それぞれの移動局グループに対する異なる変調コーディングスキームを選択することと、それぞれの移動局グループに対するバースト割り振り情報を、選択された変調コーディングスキームを使用して送信されるその関係するＭＡＰメッセージ中で送信することとを一般的に含む動作を実行する。
【図面の簡単な説明】
【００１０】
上記に記載した本開示の特徴を詳細に理解できるように、上記において簡潔に要約したものをより特定した説明が、実施形態の参照により得られる。いくつかの実施形態は、添付した図面中に図示されている。しかしながら、添付した図面は、本開示のある典型的な実施形態のみを図示していて、それゆえ、本開示の範囲の制限としてみなされるべきではなく、説明のために、他の同等に効果的な実施形態が認められてもよいことに留意すべきである。
【図１】図１は、本開示のある実施形態にしたがった例示的なワイヤレス通信システムを図示している。
【図２】図２は、本開示のある実施形態にしたがったワイヤレスデバイス中で利用されてもよいさまざまなコンポーネントを図示している。
【図３】図３は、本開示のある実施形態にしたがった、ワイヤレス通信システム内で使用されてもよい、例示的な送信機および例示的な受信機を図示している。
【図４】図４は、本開示のある実施形態にしたがった、ＳＵＢ−ＤＬ−ＵＬ−ＭＡＰメッセージを有するＤＬフレームフォーマットを図示している。
【図５】図５は、本開示のある実施形態にしたがった、ＳＵＢ−ＤＬ−ＵＬ−ＭＡＰメッセージにより、ＭＳのデータバーストを割り振る例示的な動作を図示している。
【図５Ａ】図５Ａは、図５中に図示している動作を実行することが可能な例示的なコンポーネントを図示している。
【図６】図６は、本開示のある実施形態にしたがった、ＳＵＢ−ＤＬ−ＵＬ−ＭＡＰメッセージを通してＭＳを区分して、対応するＭＣＳを選択するための分配アルゴリズムを図示している。
【図７】図７は、本開示のある実施形態にしたがった、ＨＡＲＱ−ＭＡＰメッセージを有する例示的なＤＬフレームフォーマットを図示している。
【図８】図８は、本開示のある実施形態にしたがった、ＨＡＲＱ−ＭＡＰメッセージにより、ＭＳのデータバーストを割り振る例示的な動作を図示している。
【図８Ａ】図８Ａは、図８中に図示している動作を実行することが可能な例示的なコンポーネントを図示している。
【詳細な説明】
【００１１】
本開示の実施形態は、ＤＬ−ＭＡＰメッセージおよびＵＬ−ＭＡＰメッセージに対して可能であるものより効率的な変調コーディングスキーム（ＭＣＳ）を使用して送信されるメッセージを使用して、バースト割り振り情報をＭＳに送信することにより、ＷｉＭＡＸシグナリングオーバーヘッドの減少を可能にする。ある実施形態において、ＭＳは、搬送波対インターフェースノイズ比（ＣＩＮＲ）に基づいてグループに区分されてもよく、それぞれのグループに対するバースト割り振り情報は、そのグループ中のＭＳに対するＣＩＮＲに基づいて、そのグループに対して適切なＭＣＳを使用して送信されてもよい。
【００１２】
ある実施形態において、ＳＵＢ−ＤＬ−ＵＬ−ＭＡＰメッセージまたはＨＡＲＱ−ＭＡＰメッセージがこのような代替データバースト割り振り方法に対して使用されてもよい。例えば、適切なＳＵＢ−ＤＬ−ＵＬ−ＭＡＰメッセージまたはＨＡＲＱ−ＭＡＰメッセージを使用することにより、類似したＣＩＮＲを有するＭＳに対する帯域幅が割り振られてもよい。バースト割り振り効率を最適化しようとする際に、ＭＳを区分して、データバースト割り振りのために適切なＳＵＢ−ＤＬ−ＵＬ−ＭＡＰメッセージまたはＨＡＲＱ−ＭＡＰメッセージを選択するさまざまなアルゴリズムが適用されてもよい。結果として、ＤＬ−ＭＡＰメッセージおよびＵＬ−ＭＡＰメッセージを送信するためのシグナリングオーバーヘッドは著しく減少し、これにより、結果として、ＶＯＩＰ容量が対応して増加する。
【００１３】
〔例示的なワイヤレス通信システム〕
本開示の方法および装置はブロードバンドワイヤレス通信システム中で利用されてもよい。ここで使用するとき、用語“ブロードバンドワイヤレス”は一般的に、所定のエリアにわたる、音声、インターネット、および／または、データネットワークアクセスのような、ワイヤレスサービスのうちの任意の組み合わせたものを提供する技術に言及している。
【００１４】
マイクロ波アクセスに対するワールドワイドインターオペラビリティを意味する、ＷｉＭＡＸは、長距離にわたって高スループットブロードバンド接続を提供する標準規格ベースのブロードバンドワイヤレス技術である。今日、ＷｉＭＡＸの２つの主アプリケーションがある：固定ＷｉＭＡＸおよびモバイルＷｉＭＡＸである。固定ＷｉＭＡＸアプリケーションは、例えば住宅および企業へのブロードバンドアクセスを可能にする、ポイントから複数のポイントへのものである。モバイルＷｉＭＡＸは、ブロードバンドスピードにおけるセルラネットワークの完全移動性を提案している。
【００１５】
モバイルＷｉＭＡＸは、ＯＦＤＭ（直交周波数分割多重）技術、および、ＯＦＤＭＡ（直交周波数分割多元接続）技術に基づいている。ＯＦＤＭは、さまざまな高データレート通信システムにおける幅広い採用が最近見い出されたデジタルマルチ搬送波変調技術である。ＯＦＤＭでは、送信ビットストリームが複数の低レートサブストリームに分割される。それぞれのサブストリームは、複数の直交副搬送波のうちの１つで変調され、複数のパラレルサブチャネルのうちの１つのものの上で送信される。ＯＦＤＭＡは、異なるタイムスロット中でユーザに副搬送波が割り当てられる多元接続技術である。ＯＦＤＭＡは、幅広く変化するアプリケーションと、データレートと、サービス品質要件とを有する多くのユーザに適応することができる柔軟な多元接続技術である。
【００１６】
ワイヤレスインターネットおよびワイヤレス通信における急激な成長は、ワイヤレス通信サービスの分野における高データレートに対する増加する需要につながっている。ＯＦＤＭ／ＯＦＤＭＡシステムは今日、最も見込みのある研究エリアのうちの１つとして、および、次世代のワイヤレス通信のためのキー技術として考えられている。これは、ＯＦＤＭ／ＯＦＤＭＡ変調スキームが、旧来の単一搬送波変調スキームと比べて、変調効率、スペクトル効率、柔軟性および強力なマルチパス耐性のような、多くの利点を提供できるという事実に起因している。
【００１７】
ＩＥＥＥ８０２．１６ｘは、固定および移動ブロードバンドワイヤレスアクセス（ＢＷＡ）システムに対するエアインターフェースを規定するための新興標準規格団体である。これらの標準規格は少なくとも４つの異なる物理レイヤ（ＰＨＹ）および１つの媒体アクセス制御（ＭＡＣ）レイヤを定義する。４つの物理レイヤのうちのＯＦＤＭ物理レイヤおよびＯＦＤＭＡ物理レイヤは、それぞれ固定および移動ＢＷＡエリアにおいて最も普及している。
【００１８】
図１は、本開示の実施形態が用いられてもよいワイヤレス通信システム１００の例を図示している。ワイヤレス通信システム１００は、ブロードバンドワイヤレス通信システムであってもよい。ワイヤレス通信システム１００は、多数のセル１０２に対する通信を提供してもよく、それぞれのセル１０２は基地局１０４によりサービスされる。基地局１０４は、ユーザ端末１０６と通信する固定局であってもよい。基地局１０４は代わりに、アクセスポイント、ノードＢまたはいくつかの他の専門用語として言及されることがある。
【００１９】
図１は、システム１００全体にわたって分散されているさまざまなユーザ端末１０６を描写している。ユーザ端末１０６は固定の（例えば静的な）または移動性のものであってもよい。ユーザ端末１０６は代わりに、遠隔局や、アクセス端末や、端末や、加入者ユニットや、移動局や、局や、ユーザ機器などとして言及されることがある。ユーザ端末１０６は、セルラ電話機や、パーソナルデジタルアシスタント（ＰＤＡ）や、ハンドヘルドデバイスや、ワイヤレスモデムや、ラップトップコンピュータや、パーソナルコンピュータなどのような、ワイヤレスデバイスであってもよい。
【００２０】
ワイヤレス通信デバイス１００中における、基地局１０４とユーザ端末１０６との間の送信に対して、さまざまなアルゴリズムおよび方法が使用されてもよい。例えば、信号は、ＯＦＤＭ／ＯＦＤＭＡ技術にしたがって、基地局１０４とユーザ端末１０６との間で送信および受信されてもよい。このケースである場合、ワイヤレス通信システム１００はＯＦＤＭ／ＯＦＤＭＡシステムとして言及されることがある。
【００２１】
基地局１０４からユーザ端末１０６への送信を促進する通信リンクは、ダウンリンク（ＤＬ）１０８として言及され、ユーザ端末１０６から基地局１０４への送信を促進する通信リンクは、アップリンク（ＵＬ）１１０として言及されることがある。代わりに、ダウンリンク１０８は、フォワードリンクまたはフォワードチャネルとして言及され、アップリンク１１０は、リバースリンクまたはリバースチャネルとして言及されることがある。
【００２２】
セル１０２は複数のセクター１１２に分割されてもよい。セクター１１２は、セル１０２内の物理的なカバレッジエリアである。ワイヤレス通信システム１００内の基地局１０４は、セル１０２の特定のセクター１１２内に電力フローを集中させるアンテナを利用してもよい。このようなアンテナは、指向性アンテナとして言及されることがある。
【００２３】
図２は、ワイヤレス通信システム１００内で用いられるワイヤレスデバイス２０２中で利用されてもよいさまざまなコンポーネントを図示している。ワイヤレスデバイス２０２は、ここで説明するさまざまな方法を実現するように構成されているデバイスの例である。ワイヤレスデバイス２０２は、基地局１０４またはユーザ端末１０６であってもよい。
【００２４】
ワイヤレスデバイス２０２は、ワイヤレスデバイス２０２の動作を制御するプロセッサ２０４を具備していてもよい。プロセッサ２０４はまた、中央処理装置（ＣＰＵ）としても言及されることがある。リードオンリーメモリ（ＲＯＭ）とランダムアクセスメモリ（ＲＡＭ）との双方を含んでいてもよいメモリ２０６は、プロセッサ２０４に命令およびデータを提供する。メモリ２０６の一部分はまた、不揮発性ランダムアクセスメモリ（ＮＶＲＡＭ）を含んでいてもよい。プロセッサ２０４は、メモリ２０６内に記憶されているプログラム命令に基づいた論理的動作および算術動作を典型的に実行する。メモリ２０６中の命令は、ここに説明する方法を実現するために実行可能であってもよい。
【００２５】
ワイヤレスデバイス２０２はまた、ワイヤレスデバイス２０２と遠隔位置との間のデータの送信および受信を可能にする送信機２１０および受信機２１２を備えていてもよいハウジング２０８を具備していてもよい。送信機２１０および受信機２１２は、組み合わせて、トランシーバ２１４にしてもよい。アンテナ２１６は、ハウジング２０８に取り付けられていてもよく、電気的にトランシーバ２１４に結合されていてもよい。ワイヤレスデバイス２０２はまた、（示していない）複数の送信機、複数の受信機、複数のトランシーバ、および／または、複数のアンテナを具備していてもよい。
【００２６】
ワイヤレスデバイス２０２はまた、トランシーバ２１４により受信した信号のレベルを検出して、量を示そうとする際に使用してもよい信号検出器２１８を具備していてもよい。信号検出器２１８は、このような信号を、総エネルギーや、シンボル当たりの副搬送波当たりのエネルギーや、電力スペクトル密度や、他の信号として検出してもよい。ワイヤレスデバイス２０２はまた、信号を処理する際に使用するためのデジタル信号プロセッサ（ＤＳＰ）２２０を具備していてもよい。
【００２７】
ワイヤレスデバイス２０２のさまざまなコンポーネントは、データバスに加えて、電力バスと、制御信号バスと、ステータス信号バスとを含んでもよいバスシステム２２２により互いに結合されていてもよい。
【００２８】
図３は、ＯＦＤＭ／ＯＦＤＭＡを利用するワイヤレス通信システム１００内で使用されてもよい送信機３０２の例を図示している。送信機３０２の一部分は、ワイヤレスデバイス２０２の送信機２１０中で実現されてもよい。送信機３０２は、ダウンリンク１０８上でユーザ端末１０６にデータ３０６を送信するために、基地局１０４中で実現されてもよい。送信機３０２はまた、アップリンク１１０上で基地局１０４にデータ３０６を送信するために、ユーザ端末１０６中で実現されてもよい。
【００２９】
送信されるべきデータ３０６は、シリアルパラレル（Ｓ／Ｐ）コンバータ３０８への入力として提供されるように示している。Ｓ／Ｐコンバータ３０８は、送信データをＭ個のパラレルデータストリーム３１０に分ける。
【００３０】
Ｍ個のパラレルデータストリーム３１０はその後、マッパー３１２への入力として提供される。マッパー３１２は、Ｍ個のパラレルデータストリーム３１０をＭ個の配列点上にマッピングする。マッピングは、２位相シフトキーイング（ＢＰＳＫ）や、４位相シフトキーイング（ＱＰＳＫ）や、８位相シフトキーイング（８ＰＳＫ）や、直角位相振幅変調（ＱＡＭ）などのような、いくつかの変調配列を使用してなされてもよい。したがって、マッパー３１２はＭ個のパラレルシンボルストリーム３１６を出力し、それぞれのシンボルストリーム３１６は、高速逆フーリエ変換（ＩＦＦＴ）３２０のＭ個の直交副搬送波のうちの１つに対応している。これらのＭ個のパラレルシンボルストリーム３１６は、周波数ドメインで表され、ＩＦＦＴコンポーネント３２０により、Ｍ個のパラレル時間ドメインサンプルストリーム３１８にコンバートされる。
【００３１】
ここで専門用語についての簡潔な注記を提供する。周波数ドメインにおけるＭ個のパラレル変調は、周波数ドメインにおけるＭ個の変調シンボルに等しく、周波数ドメインにおけるＭ個の変調シンボルは、周波数ドメインにおけるＭ個のマッピングおよびＭポイントＩＦＦＴに等しく、周波数ドメインにおけるＭ個のマッピングおよびＭポイントＩＦＦＴは、時間ドメインにおける１個の（有用な）ＯＦＤＭシンボルに等しく、時間ドメインにおける１個の（有用な）ＯＦＤＭシンボルは、時間ドメインにおけるＭ個のサンプルに等しい。時間ドメインにおける１個のＯＦＤＭシンボルＮsは、Ｎcp（ＯＦＤＭシンボル当たりのガードサンプルの数）＋Ｍ（ＯＦＤＭシンボル当たりの有用なサンプルの数）に等しい。
【００３２】
Ｍ個のパラレル時間ドメインサンプルストリーム３１８は、パラレルシリアル（Ｐ／Ｓ）コンバータ３２４により、ＯＦＤＭ／ＯＦＤＭＡシンボルストリーム３２２にコンバートされる。ガード挿入コンポーネント３２６は、ＯＦＤＭ／ＯＦＤＭＡシンボルストリーム３２２中の連続するＯＦＤＭ／ＯＦＤＭＡシンボル間にガード間隔を挿入する。ガード挿入コンポーネント３２６の出力はその後、無線周波数（ＲＦ）フロントエンド３２８により、所望の送信周波数帯域にアップコンバートされる。アンテナ３３０はその後、結果として得られる信号３３２を送信する。
【００３３】
図３はまた、ＯＦＤＭ／ＯＦＤＭＡを利用するワイヤレスデバイス２０２内で使用されてもよい受信機３０４の例を図示している。受信機３０４の一部分は、ワイヤレスデバイス２０２の受信機２１２中で実現されてもよい。受信機３０４は、ダウンリンク１０８上で基地局１０４からデータ３０６を受信するために、ユーザ端末１０６中で実現されてもよい。受信機３０４はまた、アップリンク１１０上でユーザ端末１０６からデータ３０６を受信するために、基地局１０４中で実現されてもよい。
【００３４】
送信信号３２２は、ワイヤレスチャネル３３４を通して伝わるように示している。信号３３２’がアンテナ３３０’により受信されるとき、受信信号３２２’は、ＲＦフロントエンド３２８’によりベースバンド信号にダウンコンバートされる。ガード除去コンポーネント３２６’はその後、ガード挿入コンポーネント３２６により、ＯＦＤＭ／ＯＦＤＭＡシンボル間に挿入されたガード間隔を除去する。
【００３５】
ガード除去コンポーネント３２６’の出力は、Ｓ／Ｐコンバータ３２４’に提供される。Ｓ／Ｐコンバータ３２４’は、ＯＦＤＭ／ＯＦＤＭＡシンボルストリーム３２２’をＭ個のパラレル時間ドメインシンボルストリーム３１８’に分割する。それぞれのＭ個のパラレル時間ドメインシンボルストリーム３１８’は、Ｍ個の直交副搬送波のうちの１つに対応している。高速フーリエ変換（ＦＦＴ）コンポーネント３２０’は、Ｍ個のパラレル時間ドメインシンボルストリーム３１８’を周波数ドメインにコンバートし、Ｍ個のパラレル周波数ドメインシンボルストリーム３１６’を出力する。
【００３６】
デマッパー３１２’は、マッパー３１２により実行されたシンボルマッピング動作の逆を実行し、これにより、Ｍ個のパラレルデータストリーム３１０’を出力する。Ｐ／Ｓコンバータ３０８’はＭ個のパラレルデータストリーム３１０’を単一データストリーム３０６’に組み合わせる。理想的には、このデータストリーム３０６’は、送信機３０２への入力として提供されたデータ３０６に対応する。
【００３７】
〔ＳＵＢ−ＤＬ−ＵＬ−ＭＡＰメッセージを使用してのシグナリングオーバーヘッドの削減〕
ＤＬ−ＭＡＰメッセージまたはＵＬ−ＭＡＰメッセージを送信する際にデータ帯域幅オーバーヘッドを削減するために、より効率的な変調コーディングスキーム（ＭＣＳ）を使用して送信できる異なるタイプのメッセージを利用することにより、データバーストの割り振りを代替的に達成することができる。例として、ＷｉＭＡＸ標準規格は、フレーム中でＤＬ−ＭＡＰメッセージまたはＵＬ−ＭＡＰメッセージとともに、既に送信されているＳＵＢ−ＤＬ−ＵＬ−ＭＡＰメッセージを使用して、データバースト割り振りをサポートしている。これらの代替メッセージを使用することにより、データバースト割り振り情報をより効率的に送信してもよく、それにより、モバイルＷｉＭＡＸシステムにおけるシグナリング帯域幅オーバーヘッドを効果的に削減してもよい。
【００３８】
現在バージョンのＷｉＭＡＸ標準規格は、ＤＬフレーム当たり３つまでのＳＵＢ−ＤＬ−ＵＬ−ＭＡＰメッセージをサポートしている。データバースト割り振りのために、ＤＬ  ＭＡＰメッセージまたはＵＬ  ＭＡＰメッセージを使用する代わりに、これらのＭＡＰメッセージを利用してもよい。ある実施形態において、ＭＳの報告されたＣＩＮＲに基づいて、それぞれが異なるＳＵＢ−ＤＬ−ＵＬ−ＭＡＰメッセージに割り当てられている異なるグループにＭＳを区分してもよい。フレーム当たり３つまでのＳＵＢ−ＤＬ−ＵＬ−ＭＡＰメッセージを指定できることから、３つまでのデータバースト割り振りのグループを規定してもよい。
【００３９】
ＭＳを異なるグループに区分して、それぞれの特定のＭＳに対するデータバーストを割り振るためにどのＳＵＢ−ＤＬ−ＵＬ−ＭＡＰメッセージを使用するかを決定するのに利用できるさまざまな異なるアルゴリズムを本開示は提供する。下記でさらに詳細に説明するように、報告されたＣＩＮＲに基づいてＭＳグループ化を実行してもよく、ＣＩＮＲはまた、対応するＳＵＢ−ＤＬ−ＵＬ−ＭＡＰメッセージを伝送する、データバーストのＭＣＳを決定してもよい。
【００４０】
図４は、ＳＵＢ−ＤＬ−ＵＬ−ＭＡＰメッセージ４１６3、４１６2、および、４１６1を有する例示的なＤＬフレーム４００の構造を図示している。ＤＬフレーム４００は、プリアンブル４０２と、フレーム制御ヘッダ（ＦＣＨ）セグメント４０４と、圧縮ＤＬ−ＭＡＰメッセージ４１０と、圧縮ＵＬ−ＭＡＰメッセージ４１４と、ＳＵＢ−ＤＬ−ＵＬ−ＭＡＰメッセージに対するＳＵＢ−ＭＡＰポインタＩＥ４１２1、４１２2、４１２3とを具備している。
【００４１】
プリアンブルセグメント４０２は、受信機側において実行されてもよいチャネル予測のために使用するパイロット信号を含んでいる。ＦＣＨセグメント４０４は、パイロット信号およびデータの双方を送信するために使用できる。圧縮ＤＬ−ＭＡＰメッセージ４１０および圧縮ＵＬ−ＭＡＰメッセージ４１４は、データバーストとブロードキャストシステムコンフィギュレーションとを割り振るために使用できる。ＳＵＢ−ＭＡＰポインタＩＥフィールド４１２1、４１２2および４１２3はそれぞれ、図４上に図示しているように、ＳＵＢ−ＤＬ−ＵＬ−ＭＡＰメッセージ４１６3、４１６2、および４１６1に関係している。
【００４２】
先に説明したように、ＷｉＭＡＸ標準規格において、図４中に図示しているように、それぞれのＤＬフレームは、３つまでのＳＵＢ−ＤＬ−ＵＬ−ＭＡＰメッセージ４１６3、４１６2、４１６1をサポートしてもよい。ＳＵＢ−ＤＬ−ＵＬ−ＭＡＰメッセージは、圧縮ＤＬメッセージ４１０および圧縮ＵＬ  ＭＡＰメッセージ４１４の後に続いてもよい。それぞれのＳＵＢ−ＤＬ−ＵＬ−ＭＡＰメッセージは、ＤＬデータバーストおよびＵＬデータバーストの双方を割り振ってもよい。
【００４３】
ＳＵＢ−ＤＬ−ＵＬ−ＭＡＰメッセージ４１６3、４１６2、４１６1は、異なるバースト中に含まれていてもよく、異なるＭＣＳを使用して送信してもよい。それぞれのＳＵＢ−ＤＬ−ＵＬ−ＭＡＰメッセージに対するデータバーストは、適切なＳＵＢ−ＭＡＰポインタＩＥ４１２1、４１２2、４１２3を使用して、圧縮ＤＬ  ＭＡＰメッセージ４１０により割り振られる。
【００４４】
図５は、本開示のある実施形態にしたがった、ＳＵＢ−ＤＬ−ＵＬ−ＭＡＰメッセージにより、それぞれのＭＳに対するデータバーストを割り振るために実行してもよい例示的な動作５００を図示している。適切なＭＣＳと、特定のＭＳのデータバーストを割り振るために使用する対応したＳＵＢ−ＤＬ−ＵＬ−ＭＡＰメッセージとを選ぶためのアルゴリズムへの入力として、それぞれのＭＳのＣＩＮＲ情報を利用してもよい。旧来の定期的な報告を通して、それぞれのＭＳに対するＣＩＮＲ情報を取得してもよい。
【００４５】
５０２において、ＭＳのＣＩＮＲの順序でＭＳをランク付けることにより、動作が開始する。例えば、ＭＳの報告されたＣＩＮＲに基づいて、ＭＳを降順にランク付けてもよい。報告されたＣＩＮＲ（ｋ）を有するインデックスｋにより、それぞれのＭＳが識別されると仮定する。ここで、ｋ＝１，２，．．．，Ｎ、ＮはＭＳの数である。このようなランク付けスキームにおいて、インデックスは下記の条件を満たすことができる。
【数１】
2011512733.tif 000003
【００４６】
５０４において、ＭＳのＣＩＮＲ値に基づいて、ＭＳをグループに区分してもよい。グループの数は、ＤＬフレーム中で利用されるＳＵＢ−ＤＬ−ＵＬ−ＭＡＰメッセージの数に対応していてもよい。例えば、３つのＳＵＢ−ＤＬ−ＵＬ−ＭＡＰメッセージを使用する場合、ＭＳの３つのグループがあってもよい。下記でさらに詳しく説明するように、ＭＳグループと、ＳＵＢ−ＤＬ−ＵＬ−ＭＡＰに対して使用される対応するＭＣＳとを選択するために、さまざまな異なるアルゴリズムを使用してもよい。
【００４７】
５０６において、それぞれのグループに対するＭＣＳを選択する。５０８において、それぞれのグループ中のＭＳに対するデータバーストが、そのグループに対して選択されたＭＣＳでエンコードされた対応するＳＵＢ−ＤＬ−ＵＬ−ＭＡＰメッセージにより割り振られる。
【００４８】
前述したように、ＭＳをグループに区分して、それぞれのグループ中のＭＳに対するデータバーストを割り振るために使用される対応するＳＵＢ−ＤＬ−ＵＬ−ＭＡＰメッセージをエンコードするのに使用すべきＭＣＳを選択するために、さまざまな異なるアルゴリズムを利用してもよい。ある実施形態において、使用したエンコーディングのタイプに基づいて、（ＳＵＢ−ＤＬ−ＵＬ−ＭＡＰm、インデックスｍ＝１，２，３）ＳＵＢ−ＤＬ−ＵＬ−ＭＡＰメッセージを特定の順序で送信してもよい。例えば、ＳＵＢ−ＤＬ−ＵＬ−ＭＡＰ3を初めに送信してもよく、ＳＵＢ−ＤＬ−ＵＬ−ＭＡＰ2およびＳＵＢ−ＤＬ−ＵＬ−ＭＡＰ1が後に続いてもよい。最悪のチャネル条件のＭＳに対するデータバーストを割り振るためにＳＵＢ−ＤＬ−ＵＬ−ＭＡＰ3を使用するので、ＳＵＢ−ＤＬ−ＵＬ−ＭＡＰ3は最も遅いデータレートを有するＭＣＳでエンコードされる。例えば、セルの境界に位置しているＭＳに対するデータバーストを割り振るためにＳＵＢ−ＤＬ−ＵＬ−ＭＡＰ3を使用してもよく、その結果、ＭＳのこのグループに対して最も強力なＭＣＳを利用する必要がある。その一方で、最高のチャネル条件（例えば、ＢＳに最も近いＭＳ）のＭＳに対するデータバーストを割り振るためにＳＵＢ−ＤＬ−ＵＬ−ＭＡＰ1を使用してもよく、したがって、ＳＵＢ−ＤＬ−ＵＬ−ＭＡＰ1は、最も弱いＭＣＳおよび最も高いデータレートでエンコードされる。
【００４９】
特定のものとして、３つの異なるアルゴリズムをここで提示するが、対応するＳＵＢ−ＤＬ−ＵＬ−ＭＡＰメッセージと、選択された対応するＭＣＳとにより、どのようにＭＳをグループ化するのかの例を限定するものではない。例示的なアルゴリズムは、均一分配アルゴリズム、しきい値ベースの分配アルゴリズム、および、データ送信に対して必要とされるリソースを最小化（または、少なくとも削減）するように試みる最適分配アルゴリズムとして一般的に呼ばれることがある。
【００５０】
均一分配アルゴリズムでは、ＭＳは３つの組に区分される。ＭＳが、ＣＩＮＲの順序でランク付けられていて、インデックスが１からＮであると仮定すると、ＭＳは、下記のように、３つの組Ｓ１からＳ３に区分される。
【数２】
2011512733.tif 000004
【００５１】
ここで、Ｑ＝ＣＥＩＬＩＮＧ（Ｎ／３）であり、ＣＥＩＬＩＮＧが天井関数である。ＳＵＢ−ＤＬ−ＵＬ−ＭＡＰメッセージｍは、そのインデックスが組Ｓmに属している特定のＭＳに対して機能する。ここで、ｍ＝１，２，３である。
【００５２】
その組Ｓmに対して、最小のＣＩＮＲにより示されるような最悪の信号品質を有するＭＳに適応するように、それぞれのＳＵＢ−ＤＬ−ＵＬ−ＭＡＰメッセージｍをエンコードするのに使用するＭＣＳを選択してもよい。２つの組に対して同一のＭＣＳを選択する場合、２つの代わりに、単一のＳＵＢ−ＤＬ−ＵＬ−ＭＡＰメッセージを使用してもよく、結果として、対応するＭＳのインデックスがマージされる。
【００５３】
しきい値ベースの分配アルゴリズムでは、２つの予め定められたＣＩＮＲしきい値（Ｔ1およびＴ2）を使用して、ＭＳを３つの組に区分してもよい。例えば、ＭＳのＣＩＮＲ値と、しきい値とを比較することにより、ＭＳインデックスを次のように組（Ｓ1、Ｓ2およびＳ3）に区分してもよい。
【数３】
2011512733.tif 000005
【００５４】
それゆえ、ＳＵＢ−ＤＬ−ＵＬ−ＭＡＰメッセージｍは、ＣＩＮＲ＝Ｔm、ｍ＝１，２により、すなわち、Ｍ番目の区分グループ中の最悪のＣＩＮＲにより許容されるＭＣＳを使用してもよい。ＳＵＢ−ＤＬ−ＵＬ−ＭＡＰメッセージ３は、ＣＩＮＲ（Ｎ）により、すなわち、第３の組の中で（すべてのＭＳの中でも）最悪のＣＩＮＲにより許容されるＭＣＳを使用してもよい。上述したように、インデックスＳmのある組が空になった場合、３つより少ないＳＵＢ−ＤＬ−ＭＡＰメッセージを利用してもよい。
【００５５】
ＭＳのすべてのグループに対して全送信リソースを節約するように、ＭＳをグループ化しようとする際に、最適分配アルゴリズムを利用してもよい。例えば、最も少ないリソース内で（例えば、ＯＦＤＭＡスロットの単位で）すべての割り振り情報が送信される結果となる、ＭＳグループ化と、対応するＭＣＳとを選択するようにアルゴリズムが設計されてもよい。
【００５６】
インデックス１，２，．．．，ｎを有するｎ個のＭＳに対するＤＬおよびＵＬデータバースト割り振り情報を伝送する、ＣＩＮＲ（ｎ）値に対応している達成可能な最高の情報ビットレートは、Ｒ（ｎ，ＣＩＮＲ（ｎ））である。ＭＳの数ｎが固定であるとき、情報ビットレート関数Ｒ（＊）はリンクカーブである。最悪のＣＩＮＲ、すなわち、ＣＩＮＲ（ｎ）により情報ビットレートが決定されてもよい。加えて、ＭＳの数がメッセージサイズに影響することから、情報ビットレートは、グループ中のＭＳの数、すなわち、ｎに基づいている。それゆえ、同一の動作ＣＩＮＲ値に対して、必要なＭＣＳスキームおよび達成可能な情報ビットレートは異なるかもしれない。
【００５７】
再び、ＭＳのＤＬバーストが３つのＳＵＢ−ＤＬ−ＵＬ−ＭＡＰmメッセージ（ｍ＝１，２，３）により割り振られるＮ個のＭＳを仮定すると、次のように、ゼロではない整数Ｘ１またはＸ２により規定された３つの組Ｓ１からＳ３にＭＳが区分されてもよい。
【数４】
2011512733.tif 000006
【００５８】
ここで、Ｓ１はＸ１個のメンバを有し、Ｓ２はＸ２−Ｘ１個のメンバを有し、Ｓ３はＮ−Ｘ２個のメンバを有している。送信効率を最適化するために、以下の数学的なリソース最小化問題に対する解法として、Ｘ１およびＸ２に対する実際の値を選択してもよい。
【数５】
2011512733.tif 000007
【００５９】
上記において説明したように、ＯＦＤＭＡスロット当たりに送信される情報ビットまたは１秒当たりに送信される情報ビットを表す情報ビットレートを、項Ｒ（＊）は示している。したがって、パラメータＸ／Ｒ（＊）は、何らかの所定の組に対してＳＵＢ−ＤＬ−ＵＬ  ＭＡＰメッセージを送信するために使用されるリソースの良好なメトリックを提供する。情報ビットレートＲ（＊）が高くなればなるほど、使用されるリソースが少なくなる。逆に、組当たりのユーザＸが多ければ多いほど、メッセージサイズがより大きくなり、使用されるリソースがより多くなる。したがって、徹底的なサーチを実行し、３つすべてのグループに割り振るために使用するスロットの総数を最小化するＸ１値およびＸ２値の組み合わせを発見することにより、上記の方程式を解いてもよい。ある実施形態において、計算を促進するために、すべての可能性ある組み合わせのサブセットを使用して、徹底的なサーチよりは少ないサーチを実行してもよい。
【００６０】
Ｘ１値およびＸ２値の１つの可能性ある組み合わせに対する計算を、図６中に図示している例を参照して説明する。それぞれのバーストグループ中のＮ個のＭＳの区分をダイヤグラム６１０中に示している。図示している例は、９０個のＭＳ（Ｎ＝９０）、Ｘ１およびＸ２に対する初期値がそれぞれ３０および６０であることを仮定していて、これにより、それぞれの組Ｓ１からＳ３は３０個のＭＳを有する（Ｓ１＝１〜３０、Ｓ２＝３１〜６０、およびＳ３＝６１〜９０）。ＭＳは既に、ＣＩＮＲによる順序でランク付けされていて、これにより、ダイヤグラム６２０中に図示しているように、ＭＳ1が最高のＣＩＮＲ値を有している一方で、ＭＳ90は最低のＣＩＮＲ値を有していることも仮定されている。
【００６１】
ダイヤグラム６３０により図示しているように、それぞれのグループに対する情報ビットレートＲ（＊）は、グループ中のユーザの最悪のチャネル品質と、グループ中のユーザの数とに基づいている。言い換えると、Ｘ１のユーザを有する第１のグループに対して、
【数６】
2011512733.tif 000008
【００６２】
図示した例において、Ｘ１＝３０およびＸ２＝６０であり、したがって、３０番目のユーザは、第１のグループ中の最悪のチャネル品質を有し、６０番目のユーザは、第２のグループ中の最悪のチャネル品質を有し、９０番目のユーザは、第３のグループ中の最悪のチャネル品質を有する。
【００６３】
図示した例において、第１のグループに対する最悪のＣＩＮＲ、ＣＩＮＲ（３０）は、１４．４Ｍｂｐｓの例示的な情報ビットレートに対応している。１秒当たり２００フレームあり、それぞれのフレームが５００スロットを有していると仮定すると、１秒当たり０．１メガスロット（２００＊５００＝０．１メガ）になるだろう。それゆえ、スロット当たりに送信できる情報ビットの数（ｂ）は、
【数７】
2011512733.tif 000009
【００６４】
スロット当たり４８データ副搬送波を仮定すると、副搬送波当たり３ビット（１４４／４８）が送信されてもよい。これらのパラメータに対する適切な変調コーディングスキーム（ＭＣＳ）は、例えば、６４ＱＡＭおよび１／２ＣＴＣ（畳み込みターボコード）であってもよい。６４ＱＡＭは加入者当たり６データビットを送信できるが、１／２ＣＴＣは加入者当たりの情報ビットを６＊１／２＝３に減少させる。
【００６５】
先に説明したように、基地局に近いユーザ（グループＳ１）対するバーストを割り振るためにＳＵＢ−ＤＬ−ＵＬ−ＭＡＰ1を使用してもよく、これは、上記最小化すべき、方程式中のリソースメトリックＸ１／Ｒ（Ｘ１，ＣＩＮＲ（Ｘ１））に寄与する。このメトリックの例示的な計算として、ＳＵＢ−ＤＬ−ＵＬ−ＭＡＰ中にはユーザ当たり９６ビットのデータバースト割り振り情報があってもよい。したがって、３０ユーザを有する図示した例において、合計２８８０ビット（９６ビット／ユーザ＊３０ユーザ）がユーザの第１のグループに送信されるべきである。それゆえ、ＳＵＢ−ＭＡＰメッセージ中の第１のグループに対して必要とされるリソースは（ＯＦＤＭＡスロットの単位で）、
【数８】
2011512733.tif 000010
【００６６】
考慮しているＸ１値およびＸ２値の組み合わせに対する残りのグループ（Ｓ２およびＳ３）のリソース要件に対して、類似した計算を行ってもよい。その後、総リソース要件が記憶され、このプロセスは、考慮している値の他のすべての組み合わせに対して繰り返される。結果として、すべてのＭＳに対するバースト割り振りを送信するための最小総リソース要件になる値の組み合わせを、ＭＳを区分することのために、そして、対応するＭＣＳ選択のために使用してもよい。
【００６７】
この最適な解法アルゴリズムの１つの利点は、Ｘ１値およびＸ２値の結果的な選択は異なる動作パラメータによって変わるものではないことであり、これは、幅広い範囲の動作条件においてこのアルゴリズムを使用できることを意味している。例えば、ユーザ当たりのＳＵＢ−ＤＬ−ＵＬ−ＭＡＰのビット数や、１秒当たりのフレーム数や、フレーム当たりのスロットや、スロット当たりのデータ副搬送波の数のような、さまざまな条件が変化すると、必要とされるリソースの総量は変化するが、Ｘ１値およびＸ２値の最適な選出は影響を受けない。これは、Ｒ（＊）メトリックは、スロット当たりの情報ビットまたは１秒当たりの情報ビットの単位であり得るが、公式のノミネータ中に、Ｘ１およびＸ２が含まれていることから明らかである。
【００６８】
〔モバイルＷｉＭＡＸにおける、ＨＡＲＱ  ＭＡＰを使用してのシグナリングオーバーヘッドの削減方法〕
ＤＬ−ＭＡＰメッセージまたはＵＬ−ＭＡＰメッセージを送信する際のデータ帯域幅オーバーヘッドを削減するために、フレーム中のＤＬ−ＭＡＰメッセージまたはＵＬ−ＭＡＰメッセージとともに、既に送信されているＨＡＲＱ−ＭＡＰメッセージを利用することにより、データバーストの割り振りを達成してもよい。選択された異なるＭＣＳでエンコードされているかもしれないＨＡＲＱ−ＭＡＰによりバースト情報を割り振ることによって、保守的にエンコードされた通常のＤＬ−ＭＡＰメッセージまたはＵＬ−ＭＡＰメッセージによりすべてのバーストを割り振るよりも、システムリソースは節約される。データバーストを割り振るために、ＳＵＢ−ＤＬ−ＵＬ−ＭＡＰメッセージを使用する代わりに、または、ＳＵＢ−ＤＬ−ＵＬ−ＭＡＰメッセージを使用することに加えて、ＨＡＲＱ−ＭＡＰメッセージを使用してもよい。
【００６９】
ＷｉＭＡＸ標準規格（ＩＥＥＥ８０２．１６ファミリー）は、システム中のすべてのＭＳに対するデータバーストを割り振るために利用する、ＤＬフレーム当たり４つまでのＨＡＲＱ−ＭＡＰメッセージをサポートする。類似したＣＩＮＲ値で特徴付けられているＭＳに対して帯域幅を割り振るためにそれぞれのＨＡＲＱ−ＭＡＰメッセージを使用してもよく、データバースト割り振りのためにＳＵＢ−ＤＬ−ＵＬ−ＭＡＰメッセージを使用することに言及して上述したのと類似した方法で、特定のＨＡＲＱ−ＭＡＰメッセージによるＭＳのグループ化を達成してもよい。
【００７０】
図７は、４つのＨＡＲＱ−ＭＡＰメッセージ７１６4、７１６3、７１６2、７１６1を有する例示的なＤＬフレームフォーマット７００を図示している。図示しているように、ＨＡＲＱ−ＭＡＰメッセージは、ＤＬ−ＭＡＰ７１０およびＵＬ−ＭＡＰ７２０の後に続いてもよく、ＨＡＲＱ−ＭＡＰメッセージを、通常のＤＬ−ＭＡＰ７１０中に含まれているＨＡＲＱ  ＭＡＰポインタＩＥ７１２1、７１２2、７１２3、７１２4により割り振ってもよい。
【００７１】
ＳＵＢ−ＤＬ−ＵＬ−ＭＡＰメッセージを参照して上述したように、ＨＡＲＱ−ＭＡＰメッセージを含んでいるデータバーストを異なるＭＣＳにより送信してもよい。ＤＬデータバーストおよびＵＬデータバーストの双方を割り振ることの他に、それぞれのＨＡＲＱ−ＭＡＰメッセージはまた、ＨＡＲＱ制御情報（すなわち、サブパケットＩＤおよびＨＡＲＱチャネルＩＤ）と、高速チャネルフィードバック割り振りに対するＣＱＩＣＨ情報と、ＨＡＲＱ  ＡＣＫチャネルに対するＡＣＫ制御情報とを指定してもよい。
【００７２】
図８は、本開示のある実施形態にしたがった、ＨＡＲＱ−ＭＡＰメッセージにより、それぞれのＭＳに対するデータバーストを割り振るために実行できる例示的な動作８００を図示している。８０２において、例えば、上述したような降順で、ＭＳのＣＩＮＲ値の順序でＭＳをランク付けすることにより、動作が開始する。
【００７３】
８０４において、ＭＳのＣＩＮＲ値に基づいてＭＳをグループに区分してもよく、８０６において、それぞれのグループに対するＭＣＳを選択する。８０８において、それぞれのグループ中のＭＳに対するデータバーストが、そのグループに対して選択されたＭＣＳを使用して送信される対応するＨＡＲＱ−ＭＡＰメッセージにより割り振られる。グループの数は、ＤＬフレーム中で利用されるＨＡＲＱ−ＭＡＰメッセージの数に対応してもよいが、ＣＩＮＲ値に依存して、その数より少ないグループを使用してもよい。上述したように、ＭＳグループと、ＨＡＲＱ−ＭＡＰメッセージを送信するために使用する対応するＭＣＳとを選択するために、ＳＵＢ−ＤＬ−ＵＬ  ＭＡＰメッセージ中でバースト割り振り情報を送信することに言及して上述したものを含む、さまざまな異なるアルゴリズムを使用してもよい。
【００７４】
どのＳＵＢ−ＤＬ−ＵＬ−ＭＡＰメッセージがＭＳの特定のグループに対するデータバースト情報を割り振るかを決定して、対応するＭＣＳを選択する、先に提案したアルゴリズムは、どのＨＡＲＱ−ＭＡＰメッセージがＭＳの特定のグループに対するデータバースト情報を割り振るかを決定することに容易に適用できる。しかしながら、利用可能なＨＡＲＱ−ＭＡＰメッセージの数の差に対処するために、アルゴリズムの応用を適合させてもよい：３つまでのＳＵＢ−ＤＬ−ＵＬ−ＭＡＰメッセージの代わりに、４つまでのＨＡＲＱ−ＭＡＰメッセージをフレーム内部で送信してもよい。
【００７５】
３つよりもむしろ、４組のＭＳインデックスを使用して、先に提案した、均一分配アルゴリズム、しきい値ベースの分配アルゴリズム、および最適分配アルゴリズムを依然として適用してもよい。例えば、均一分配アルゴリズムでは、ＭＳを４つの組、Ｓ1からＳ4に区分してもよく、ここで、ＨＡＲＱ−ＭＡＰメッセージｍは、インデックス組Ｓｍ、ｍ＝１，２，３，４を有するＭＳに対して機能する。同様に、しきい値ベースの分配アルゴリズムでは、ＣＩＮＲを比較するのに３つのしきい値（Ｔ１、Ｔ２およびＴ３）を使用して、ＭＳを４つの組に区分してもよい。最適分配アルゴリズムでは、リソース最小化問題は、Ｎ個のＭＳを４つの別々のグループに分離する３つの値（Ｘ１、Ｘ２およびＸ３）によって解決してもよい。
【００７６】
上述した方法のさまざまな動作は、図面中に図示したミーンズプラスファンクションブロックに対応する、さまざまなハードウェアおよび／またはソフトウェアのコンポーネントおよび／またはモジュールにより実行されてもよい。一般的に、図面中に図示している方法が、対応するよく似たミーンズプラスファンクション図を有する場合、動作ブロックは、類似したナンバリングを有するミーンズプラスファンクションブロックに対応する。例えば、図５中に図示したブロック５０２から５０８は、図５Ａ中に図示したミーンズプラスファンクションブロック５０２Ａから５０８Ａに対応している。図８中に図示したブロック８０２から８０８は、図８Ａ中に図示したミーンズプラスファンクションブロック８０２Ａから８０８Ａに対応している。
【００７７】
本開示と関連して述べたさまざまな例示的な論理ブロック、モジュールおよび回路は、汎用プロセッサ、デジタル信号プロセッサ（ＤＳＰ）、特定用途向け集積回路（ＡＳＩＣ）、現場プログラム可能ゲートアレイ信号（ＦＰＧＡ）または他のプログラム可能論理デバイス（ＰＬＤ）、ディスクリートゲートまたはトランジスタ論理、ディスクリートハードウェアコンポーネント、あるいは、ここに開示した機能を実行するように設計されているこれらの任意の組み合わせたものにより、実現または実行されてもよい。汎用プロセッサはマイクロプロセッサであってもよいが、代替実施形態では、プロセッサは、任意の商業上利用可能なプロセッサ、制御装置、マイクロ制御装置または状態機械であってもよい。プロセッサはまた、例えば、ＤＳＰおよびマイクロプロセッサを組み合わせたものや、複数のマイクロプロセッサや、ＤＳＰコアを伴う１つ以上のマイクロプロセッサや、任意のその他のこのような構成のような、コンピューティングデバイスを組み合わせたものとして実現されてもよい。
【００７８】
本開示に関連して述べた方法またはアルゴリズムのステップは、ハードウェアで、プロセッサにより実行されるソフトウェアモジュールで、あるいは、双方を組み合わせたもので直接的に具現化してもよい。ソフトウェアモジュールは、技術的に知られている何らかの形態の記憶媒体に存在していてもよい。使用できる記憶媒体のいくつかの例は、ランダムアクセスメモリ（ＲＡＭ）、リードオンリーメモリ（ＲＯＭ）、フラッシュメモリ、ＥＰＲＯＭメモリ、ＥＥＰＲＯＭメモリ、レジスタ、ハードディスク、リムーブバルディスク、ＣＤ−ＲＯＭなどを含む。ソフトウェアモジュールは、単一の命令、または、多くの命令を備えていてもよく、いくつかの異なるコードセグメント上で、異なるプログラムの間で、および、複数の記憶媒体を介して、分配されてもよい。記憶媒体は、プロセッサが記憶媒体から情報を読み取り、記憶媒体に情報を書き込むことができるようにプロセッサに結合されていてもよい。代替実施形態では、記憶媒体はプロセッサと一体化されてもよい。
【００７９】
ここで開示した方法は、述べた方法を達成するための１つ以上のステップまたはアクションを含んでいる。方法ステップおよび／またはアクションは、特許請求の範囲から逸脱することなく、別のものに入れ替えてもよい。言い換えると、ステップまたはアクションの特定の順序が指定されない限り、特定のステップおよび／またはアクションの、順序および／または使用は、特許請求の範囲から逸脱することなく、改良されてもよい。
【００８０】
記述した機能は、ハードウェアで、ソフトウェアで、ファームウェアで、または、これらのものを組み合わせた任意のもので実現してもよい。ソフトウェアで実現された場合、機能は、命令または命令の１つ以上の組として、コンピュータ読取可能媒体または記憶媒体上に記憶されてもよい。記憶媒体は、コンピュータまたは１つ以上の処理デバイスによりアクセスできる何らかの利用可能な媒体であってもよい。例として、これらに限定されないが、このようなコンピュータ読取可能媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは、コンピュータによりアクセスでき、命令またはデータ構造の形態で所望のプログラムコードを伝送または記憶するために使用できる他の何らかの媒体を含んでいてもよい。ここで使用したようなディスク（ｄｉｓｋおよびｄｉｓｃ）は、コンパクトディスク（ＣＤ）、レーザディスク（登録商標）、光ディスク、デジタル汎用ディスク（ＤＶＤ）、フロッピー（登録商標）ディスク、ブルーレイディスク（登録商標）を含むが、一般的に、ディスク（ｄｉｓｋ）は、データを磁気的に再生する一方で、ディスク（ｄｉｓｃ）はデータをレーザによって光学的に再生する。
【００８１】
ソフトウェアまたは命令はまた、送信媒体を通して送信されてもよい。例えば、ソフトウェアが、ウェブサイト、サーバ、あるいは同軸ケーブルや、光ファイバケーブルや、撚り対や、デジタル加入者線（ＤＳＬ）、あるいは赤外線、無線、およびマイクロ波のようなワイヤレス技術を使用している他の遠隔ソースから送信された場合、同軸ケーブル、光ファイバケーブル、撚り対、ＤＳＬ、あるいは赤外線、無線、およびマイクロ波のようなワイヤレス技術は、送信媒体の定義に含まれる。
【００８２】
さらに、ここで述べた方法および技術を実行する、モジュールおよび／または他の適切な方法はダウンロードすることができ、あるいは／ならびに、そうでなければ、ユーザ端末および／または基地局により、適用可能に取得することができることを正しく認識すべきである。例えば、このようなデバイスは、サーバに結合することができ、ここで述べた方法を実行する手段の転送を容易にする。代わりに、ここで述べたさまざまな方法は、記憶手段（例えば、ＲＡＭ、ＲＯＭ、コンパクトディスク（ＣＤ）やフロッピーディスクなどのような物理的な記憶媒体）を通して提供でき、それにより、ユーザ端末および／または基地局は、記憶手段をデバイスに結合または提供すると、さまざまな方法を取得することができる。さらに、ここで述べた方法および技術をデバイスに提供する他の任意の適した技術を利用することができる。
【００８３】
特許請求の範囲は上記で図示した厳密な構成およびコンポーネントに限定されるものではないことを理解すべきである。上述した方法および装置の、配置、動作および詳細において、特許請求の範囲から逸脱することなく、さまざまな改良、変更、バリエーションを行うことができる。
【図１】
2011512733.tif 000011
【図２】
2011512733.tif 000012
【図３】
2011512733.tif 000013
【図４】
2011512733.tif 000014
【図５】
2011512733.tif 000015
【図５Ａ】
2011512733.tif 000016
【図６】
2011512733.tif 000017
【図７】
2011512733.tif 000018
【図８】
2011512733.tif 000019
【図８Ａ】
2011512733.tif 000020
【国際調査報告】
2011512733.tif 000021
2011512733.tif 000022
2011512733.tif 000023